(57)【要約】【課題】ユーザの操作に依存することなく、映像の表示状態の切替えを行なうことができる映像表示装置を提供する。【解決手段】プロジェクタ１は、単一の映像信号に基づく映像を表示する１画面表示モードと、２個の映像信号に基づく映像を表示する２画面表示モードとを有している。入力端子Ｔ１にのみ映像信号が入力され、入力端子Ｔ２には映像信号が入力されていないとき（図１（ａ）参照）には、プロジェクタ１は１画面表示モードに設定され、ＰＣ１からの映像信号に基づく映像がメインウィンドウ１００に表示される。そして、１画面表示モードの実行時において、入力端子Ｔ２に映像信号が入力されたことが確認されると、プロジェクタ１は１画面表示モードから２画面表示モードに切替わり（図１（ｂ）参照）、ＰＣ１からの映像信号に基づく映像と、ＰＣ２からの映像信号に基づく映像とが１画面内に同時に表示される。【選択図】図１
2011109504.tif 000002
【特許請求の範囲】
【請求項１】
単一の映像信号に基づく映像を表示する１画面表示モードと、複数の映像信号のそれぞれに基づく複数の映像を表示するマルチ画面表示モードとを備えた映像表示装置であって、
複数の入力端子を含み、外部の複数の映像信号供給装置から供給される複数の映像信号を、前記複数の入力端子のそれぞれを介して入力するための入力部と、
前記入力部に入力された映像信号による映像を表示する表示部と、
前記入力部に対する映像信号の入力の有無を検出する映像信号検出部と、
前記映像信号検出部の検出結果に基づいて、前記表示部に表示させる映像を切替えるための制御部とを備え、
前記制御部は、前記複数の入力端子のうちの１つの入力端子に映像信号が入力されているときには、前記１つの入力端子以外の入力端子に対する映像信号の入力の有無に基づいて、前記１画面表示モードと前記マルチ画面表示モードとを切替えるための第１の表示切替手段を含む、映像表示装置。
【請求項２】
前記複数の映像信号供給装置のうちの第１の映像信号供給装置との間で信号を送受信する通信部をさらに備え、
前記映像信号検出部は、前記通信部を介して前記第１の映像信号供給装置から受信した所定の信号をトリガとして、前記入力部に対する前記第１の映像信号供給装置からの第１の映像信号の入力の有無を検出し、
前記制御部は、前記入力部に対する前記第１の映像信号の入力の有無に基づいて、前記表示部における前記第１の映像信号に基づく映像の表示および非表示を切替えるための第２の表示切替手段をさらに含む、請求項１に記載の映像表示装置。
【請求項３】
前記制御部は、前記映像信号検出部によって前記入力部に複数の映像信号が入力されたことが検出された場合には、前記複数の映像信号に基づく映像を、所定時間ごとに切替えて前記表示部に表示させるための第３の表示切替手段をさらに含む、請求項１に記載の映像表示装置。
【請求項４】
前記制御部は、前記映像信号検出部によって前記入力部に複数の映像信号が入力されたことが検出された場合には、予め定められた優先順位に従って前記複数の映像信号から少なくとも１つの映像信号を選択し、その選択した前記少なくとも１つの映像信号に基づく映像を前記表示部に表示させるための第４の表示切替手段をさらに含む、請求項１に記載の映像表示装置。
【発明の詳細な説明】
【技術分野】
【０００１】
この発明は、映像表示装置に関し、より特定的には、複数の映像ソースが接続可能な映像表示装置に関する。
【背景技術】
【０００２】
外部の映像信号供給装置（映像ソース）から供給される映像信号に基づく映像を表示する映像表示装置として、たとえば特開２００８−２０８８７２号公報（特許文献１）には、１つの入力源からの映像を表示部に１画面で表示させる１画面表示と、２つの入力源からの２つの映像を該表示部に２画面で表示させる２画面表示とを自動的に切替えて実行させる自動切替モードを備えた構成が開示される。
【０００３】
この特許文献１に記載の映像表示装置では、自動切替モードに設定されかつ１画面表示を実行している状態において、表示中の映像の入力源とは異なる入力源を選択する選択操作が行なわれたときには、制御部が２画面表示として、１画面表示の実行時に選択されていた入力源の映像と選択操作によって選択された入力源の映像とを表示させる。特許文献１では、かかる構成により、ユーザの１人が１画面表示で映像を鑑賞しているときに、他のユーザが異なる入力源を選択する選択操作を行なったとしても、その映像の表示を確実に継続させることを可能としている。
【先行技術文献】
【特許文献】
【０００４】
【特許文献１】特開２００８−２０８８７２号公報
【発明の概要】
【発明が解決しようとする課題】
【０００５】
ここで、近年では、映像表示装置は複数の入力端子を備えるようになっており、様々な種類の映像ソースを接続可能になっている。映像表示装置に複数の映像ソースからの映像信号が入力されている場合には、ユーザはリモコン（リモートコントローラの略）等の操作部を用いて、これらの複数の映像ソースの中から所望の映像ソースを選択するための操作を行なわなければならない。たとえば上述したような２画面表示を実行する場合には、複数の入力端子のうちから２つの入力端子を指定する操作を行なう必要がある。
【０００６】
このように従来の映像表示装置では、１画面表示と２画面表示との切替えを、入力端子を選択する操作に依存して行なうため、選択した入力端子に対して映像ソースからの映像信号が入力されていない場合には、２画面のうちの１画面には何も表示されないことになる。このため、ユーザは映像信号を発している映像ソースを選択するための操作を行なわなければならず、その結果映像表示装置の操作性が損なわれるという問題があった。
【０００７】
また、従来の映像表示装置では、ユーザが２画面表示の設定を変更しない限り、２画面のうちの一方の画面の表示／非表示の切替えや２画面のそれぞれに表示させる映像の組合せを変えることができないことから、映像表示装置の使い勝手を悪くしてしまうという問題があった。
【０００８】
それゆえ、この発明は、かかる課題を解決するためになされたものであり、その目的は、ユーザの操作に依存することなく、映像の表示状態の切替えを行なうことができる映像表示装置を提供することである。
【課題を解決するための手段】
【０００９】
この発明のある局面に従えば、映像表示装置は、単一の映像信号に基づく映像を表示する１画面表示モードと、複数の映像信号のそれぞれに基づく複数の映像を表示するマルチ画面表示モードとを備える。映像表示装置は、複数の入力端子を含み、外部の複数の映像信号供給装置から供給される複数の映像信号を、複数の入力端子のそれぞれを介して入力するための入力部と、入力部に入力された映像信号による映像を表示する表示部と、入力部に対する映像信号の入力の有無を検出する映像信号検出部と、映像信号検出部の検出結果に基づいて、表示部に表示させる映像を切替えるための制御部とを備える。制御部は、複数の入力端子のうちの１つの入力端子に映像信号が入力されているときには、１つの入力端子以外の入力端子に対する映像信号の入力の有無に基づいて、１画面表示モードとマルチ画面表示モードとを切替えるための第１の表示切替手段を含む。
【００１０】
好ましくは、映像表示装置は、複数の映像信号供給装置のうちの第１の映像信号供給装置との間で信号を送受信する通信部をさらに備える。映像信号検出部は、通信部を介して第１の映像信号供給装置から受信した所定の信号をトリガとして、入力部に対する第１の映像信号供給装置からの第１の映像信号の入力の有無を検出する。制御部は、入力部に対する第１の映像信号の入力の有無に基づいて、表示部における第１の映像信号に基づく映像の表示および非表示を切替えるための第２の表示切替手段をさらに含む。
【００１１】
好ましくは、制御部は、映像信号検出部によって入力部に複数の映像信号が入力されたことが検出された場合には、複数の映像信号に基づく映像を、所定時間ごとに切替えて表示部に表示させるための第３の表示切替手段をさらに含む。
【００１２】
好ましくは、制御部は、映像信号検出部によって入力部に複数の映像信号が入力されたことが検出された場合には、予め定められた優先順位に従って複数の映像信号から少なくとも１つの映像信号を選択し、その選択した少なくとも１つの映像信号に基づく映像を表示部に表示させるための第４の表示切替手段をさらに含む。
【発明の効果】
【００１３】
この発明によれば、ユーザの操作に依存することなく、入力部に対する映像信号の入力の有無や映像が表示される時間に応じて表示映像の切替えを行なうことができる。この結果、所望の映像を表示する際の利便性が向上する。
【図面の簡単な説明】
【００１４】
【図１】この発明の実施の形態１に係る映像表示装置により表示される映像を説明する図である。
【図２】図１におけるプロジェクタの構成を説明する図である。
【図３】プロジェクタの動作を説明するフローチャートである。
【図４】この発明の実施の形態２に係るプロジェクタにより表示される映像を説明する図である。
【図５】図４におけるプロジェクタの構成を説明する図である。
【図６】プロジェクタの動作を説明するフローチャートである。
【図７】この発明の実施の形態３に係るプロジェクタにより表示される映像を説明する図である。
【図８】２画面表示モードの実行時にプロジェクタにより表示される映像を説明する図である。
【図９】図７におけるプロジェクタの構成を説明する図である。
【図１０】プロジェクタの動作を説明するフローチャートである。
【図１１】この発明の実施の形態４に係るプロジェクタにより表示される映像を説明する図である。
【図１２】図１１におけるプロジェクタの構成を説明する図である。
【図１３】プロジェクタの動作を説明するフローチャートである。
【発明を実施するための形態】
【００１５】
以下、本発明の実施の形態について、図面を参照しながら詳細に説明する。なお、図中の同一または相当する部分には同一符号を付してその説明は繰返さない。
【００１６】
［実施の形態１］
図１は、この発明の実施の形態１に係る映像表示装置により表示される映像を説明する図である。
【００１７】
図１を参照して、本実施の形態１に係る映像表示装置（以下、「プロジェクタ」ともいう）１は、液晶デバイスを利用して映像を投影する液晶プロジェクタであって、スクリーンに液晶デバイスにより表示される映像の光を投写することにより、映像を投影（表示）する。投写面は、スクリーンに限定されず、壁面であってもよい。
【００１８】
プロジェクタ１は、入力部９を備える。入力部９は、複数の入力端子を含み、各入力端子からは異なる種類の映像信号が入力可能である。なお、本実施の形態では、一例として、入力部９は、２個の入力端子Ｔ１，Ｔ２を含むものと想定する。
【００１９】
入力端子Ｔ１，Ｔ２には、伝送路を介して外部の映像信号供給装置（映像ソース）が接続される。映像ソースとしては、ＰＣ（Personal Computer）、ＶＴＲ（Videotape Recorder）などのアナログ信号を出力する映像ソースや、ＤＶＤ（Digital Versatile Disc）再生装置、Ｂｌｕ−Ｒａｙディスク再生装置などのデジタル信号を出力する映像ソースがある。図１の例では、入力端子Ｔ１，Ｔ２は、ＲＧＢ端子であり、ＰＣ１，ＰＣ２からそれぞれ供給されるアナログＲＧＢ信号に対応している。
【００２０】
なお、説明を簡単にするため、各映像ソースから送信される信号は映像信号であると想定する。映像信号とともに音声信号も伝送されるが、説明を簡単にするために、音声信号の伝送およびプロジェクタ１における音声信号処理の説明は略す。
【００２１】
（プロジェクタの表示モード）
本実施の形態に係るプロジェクタ１は、映像信号による映像を表示するための動作モード（以下、表示モードともいう）として、単一の映像信号に基づく映像を表示する「１画面表示モード」と、複数の映像信号に基づく映像を表示する「マルチ画面表示モード」とを有している。以下では、マルチ画面表示モードの一態様として、２個の映像信号に基づく映像を表示する「２画面表示モード」を想定する。
【００２２】
１画面表示モードおよび２画面表示モードの間の切替えは、以下に述べるように、入力部９に対する映像信号の入力の有無に基づいて実行される。
【００２３】
具体的には、図１（ａ）を参照して、入力端子Ｔ１，Ｔ２には、ＰＣ１，ＰＣ２がそれぞれ接続され、ＰＣ１，ＰＣ２の映像信号を入力可能になっている場合を想定する。この場合において、入力端子Ｔ１にのみ映像信号が入力され、入力端子Ｔ２には映像信号が入力されていないときには、プロジェクタ１は１画面表示モードに設定される。したがって、ＰＣ１からの映像信号に基づく映像がメインウィンドウ１００に表示される。
【００２４】
そして、１画面表示モードの実行時において、入力端子Ｔ２に映像信号が入力されたことが確認されると、プロジェクタ１は１画面表示モードから２画面表示モードに切替わる。これにより、ＰＣ１からの映像信号に基づく映像と、ＰＣ２からの映像信号に基づく映像とが１画面内に同時に表示される。
【００２５】
ここでは、２画面は、２個の映像のうちの一方を表示する画面であって比較的に大きいサイズの画面（メインウィンドウ）１００と、２個の映像のうちの他方を表示する画面であって比較的に小さいサイズの画面（サブウィンドウ）１１０とを想定する。図１（ｂ）では、サブウィンドウ１１０は、メインウィンドウ１００の表示領域内に配置されているが、メインウィンドウ１００およびサブウィンドウ１１０の配置の態様はこれに限定されず、並列する態様であってもよい。また、各ウィンドウのサイズは、異なるサイズであってもよいが、同じサイズであってもよい。
【００２６】
以下に、図２および図３を用いて、本発明の実施の形態１に係るプロジェクタにおける表示モードの切替制御について説明する。
【００２７】
図２は、図１におけるプロジェクタ１の構成を説明する図である。
図２を参照して、プロジェクタ１は、入力端子Ｔ１，Ｔ２と、レシーバ部１０と、映像信号処理回路１２と、ＯＳＤ（On Screen Display）回路１４と、ＤＡＣ（Digital Analog Converter）１６と、液晶パネル駆動部１８と、光学部２０と、投写レンズ２２と、ランプ２４と、ランプ駆動部２６と、電源部２８と、制御部３０と、映像信号検出部３２と、操作受付部３４とを備える。
【００２８】
レシーバ部１０は、入力端子Ｔ１，Ｔ２から与えられる映像信号を処理して出力する。具体的には、レシーバ部１０は、受信したアナログ映像信号Ｖｉｎをデジタル映像信号Ｄｉｎに変換するＡＤＣ（Analog Digital Converter）機能を有しており、入力端子Ｔ１から与えられるアナログ映像信号Ｖｉｎ１をデジタル映像信号Ｄｉｎ１として出力する。また、レシーバ部１０は、入力端子Ｔ２から与えられるアナログ映像信号Ｖｉｎ２をデジタル映像信号Ｄｉｎ２として出力する。これは、映像信号Ｖｉｎに各種の映像信号処理を施すために行なわれる。
【００２９】
映像信号処理回路１２は、レシーバ部１０から出力される映像信号Ｄｉｎを表示のための信号に処理して出力する。具体的には、映像信号処理回路１２は、制御部３０の指示に基づき、単一の入力端子Ｔ１（またはＴ２）にのみ映像信号Ｖｉｎ１（またはＶｉｎ２）が入力されている場合には、この単一の映像信号に基づく映像がメインウィンドウ１００（図１）に表示されるように、与えられる映像信号Ｄｉｎ１（またはＤｉｎ２）に基づき１フレーム分のデジタル映像信号Ｄｓｃを生成する。
【００３０】
一方、複数の入力端子Ｔ１，Ｔ２に映像信号が入力されている場合には、これら２個の映像信号Ｖｉｎ１，Ｖｉｎ２に基づく映像がメインウィンドウ１００およびサブウィンドウ１１０（図１）にそれぞれ表示されるように、与えられる映像信号Ｄｉｎ１，Ｄｉｎ２に基づき１フレーム分のデジタル映像信号Ｄｓｃを生成する。
【００３１】
さらに、映像信号処理回路１２は、映像信号Ｄｉｎで表わされる映像を拡大および縮小することにより液晶ライトバルブの持つ解像度に合わせるスケーリング処理、１秒間における描画更新回数を示すフレームレート変換処理、および映像信号Ｄｓｃの有する階調値を液晶ライトバルブ（図示せず）で表示するのに適した階調値に変換するガンマ補正などを行なう。このとき、複数の入力端子Ｔ１，Ｔ２に映像信号が入力されている場合には、映像信号処理回路１２は、２個の映像信号に基づく映像が図１（ｂ）に示すような所定のレイアウトで配置されるように、映像信号Ｄｉｎ１，Ｄｉｎ２に縮小処理および合成処理を施す。映像信号Ｄｉｎは、これらの映像信号処理が施され、デジタル映像信号Ｄｓｃとして出力される。
【００３２】
ＯＳＤ回路１４は、映像信号処理回路１２から出力される映像信号Ｄｓｃに、制御部３０から与えられる情報に基づく映像データの信号を重畳して、重畳された後の映像信号Ｄｓｃを出力する。
【００３３】
ＤＡＣ１６は、ＯＳＤ回路１４から出力された映像信号Ｄｓｃを入力し、Ｄ／Ａ変換を施したアナログ映像信号Ｖｏｕｔを出力する。
【００３４】
プロジェクタ１では、液晶パネル駆動部１８、光学部２０、投写レンズ２２およびランプ２４は、ＤＡＣ１６から出力される映像信号Ｖｏｕｔに従って、制御部３０の制御の下に、スクリーンに映像を表示するための表示部に相当する。
【００３５】
表示部の動作について説明する。液晶パネル駆動部１８は、液晶ドライバであり、液晶ライトバルブに映像信号Ｖｏｕｔを供給し、液晶ライトバルブに映像を写し出す。
【００３６】
光学部２０は、図示は省略するが、ランプ２４が放射する白色光を略平行光に変換するインテグレータ光学系と、白色光を光の３原色である赤色、緑色、青色の各色成分光に分離して各色光用の液晶ライトバルブに供給する分離光学系と、液晶ライトバルブにて各色光毎に映像信号Ｖｏｕｔに応じて変調された各色光を、再度合成する合成光学系とを含んでいる。液晶ライトバルブからの各色光毎の変調光は、合成光学系としてのダイクロイックプリズムにより合成された後、投写レンズ２２によって、スクリーン上に拡大投写される。投写レンズ２２は、投写光をスクリーンに結像させるためのレンズ群と、これらレンズ群の一部を光軸方向に変位させて投写映像のズーム状態およびフォーカス状態を調整するためのアクチュエータを備えている。
【００３７】
電源部２８は、図示しないＡＣ電源のコンセントに差し込まれるプラグを経由して電源が供給され、供給された電源をプロジェクタ１内の各部に供給する。ランプ駆動部２６は、電源部２８からの電源を受け、ランプ２４を点灯するための高電圧を発生する。
【００３８】
映像信号検出部３２は、レシーバ部１０から出力される映像信号Ｄｉｎを検出することにより、入力端子Ｔ１，Ｔ２のそれぞれに映像信号が入力されているか否かを検出する。映像信号検出部３２は、映像信号の入力の有無についての検出結果を制御部３０に出力する。
【００３９】
制御部３０は、ＣＰＵ（Central Processing Unit）であり、各部との信号のやり取りを行ない、また、操作受付部３４からの操作信号に従って各部の動作を制御する。
【００４０】
制御部３０はさらに、映像信号検出部３２から映像信号の入力の有無についての検出結果を受けると、その検出結果に基づいて、プロジェクタ１の表示モードを切替えるための切替指令を生成する。制御部３０は、生成した切替指令を映像信号処理回路１２へ出力する。映像信号処理回路１２は、制御部３０からの切替指令に従って、上述した方法によって、１画面表示モードと２画面表示モードとを切替える。
【００４１】
操作受付部３４は、プロジェクタ１の本体に設けられた複数の操作用ボタンからなる操作部およびプロジェクタ１を遠隔操作するためのリモコン（リモートコントローラの略）への操作がなされると、当該操作を受付け、各種動作のトリガとなるコマンド信号を送る。
【００４２】
図３は、プロジェクタ１の動作を説明するフローチャートである。
図３を参照して、入力部９からの映像信号Ｖｉｎがレシーバ部１０に入力されると（ステップＳ０１）、映像信号検出部３２は、レシーバ部１０から出力される映像信号を検出することによって、入力端子Ｔ１，Ｔ２のそれぞれに映像信号が入力されているか否かを検出する。映像信号検出部３２は、映像信号の入力の有無についての検出結果を制御部３０に出力する。
【００４３】
制御部３０は、映像信号検出部３２からの検出結果に基づいて、外部の映像ソースからの映像信号が入力されている入力端子が１つであるか否かを判断する（ステップＳ０２）。映像信号が入力されている入力端子が１つであると判断されたとき（ステップＳ０１のＹＥＳ判定時）には、プロジェクタ１は１画面表示モードとなる。制御部３０は、この単一の映像信号に基づく映像を表示部から投写させる。
【００４４】
一方、映像信号が入力されている入力端子が１つでないと判断されたとき（ステップＳ０１のＮＯ判定時）には、制御部３０はさらに、複数の入力端子Ｔ１，Ｔ２に映像信号が入力されているか否かを判断する（ステップＳ０４）。複数の入力端子Ｔ１，Ｔ２に映像信号が入力されていると判断されたとき（ステップＳ０４のＹＥＳ判定時）には、プロジェクタ１は２画面表示モードとなる。制御部３０は、２個の映像信号に基づく映像を表示部から投写させる（ステップＳ０５）。
【００４５】
一方、複数の入力端子Ｔ１，Ｔ２に映像信号が入力されていない、すなわち、いずれの入力端子にも映像信号が入力されていないと判断されたとき（ステップＳ０４のＮＯ判定時）には、制御部３０は、表示部から映像を投写させることなく、処理を終了する。
【００４６】
以上のように、この発明の実施の形態１によれば、複数の入力端子を備えたプロジェクタにおいて、表示部から表示される映像は、複数の入力端子に対する映像信号の入力の有無に応じて切替えられる。したがって、たとえば１画面表示モードの実行中においては、２個目の映像信号の入力が検出された時点で自動的に２画面表示モードに切替わる一方で、該２個目の映像信号の入力が途絶えた時点で再び１画面表示モードに切替わる。これによれば、ユーザが表示モードの設定変更のための操作を行なうことなく、必要な場面でのみ２画面表示とすることができる。その結果、映像を表示する際のプロジェクタの利便性が向上する。
【００４７】
なお、上述した実施の形態１で説明した、複数の入力端子に対する映像信号の入力の有無に応じて自動的に表示モードを切替える機能については、その有効／無効を映像を鑑賞しているユーザに選択させるようにしてもよい。
【００４８】
また、上述した実施の形態では、映像信号の入力の有無に応じて１画面表示と２画面表示とを切替える態様について説明したが、３個以上の映像信号を同時に表示するマルチ画面表示においても本実施の形態を同様に適用可能である。この場合には、映像信号検出部によって映像信号の入力が検出された入力端子の個数に応じて、１画面上に同時に表示させる映像の個数を切替えるようにしてもよい。
【００４９】
［実施の形態２］
図４は、この発明の実施の形態２に係るプロジェクタにより表示される映像を説明する図である。
【００５０】
図４を参照して、プロジェクタ１Ａは、入力部９と、通話部４０とを備える。入力部９は、複数の入力端子を含む。なお、本実施の形態では、一例として、入力部９は、２個の入力端子Ｔ１，Ｔ２を含むものと想定する。
【００５１】
入力端子Ｔ１は、ＲＧＢ端子であり、ＰＣ１から供給されるアナログＲＧＢ信号に対応している。一方、入力端子Ｔ２には、有線または無線の伝送路を介してインターホン装置ＩＰ１が接続されている。
【００５２】
インターホン装置ＩＰ１は、室外に設置されており、プロジェクタ１Ａとの間で信号の送受信を行なう。プロジェクタ１Ａとインターホン装置ＩＰ１とは、相互の通話のための通話部をそれぞれ備えている。また、インターホン装置ＩＰ１には、例えばＣＣＤ（Charge Coupled Device）カメラを用いて撮像を行なう撮像部が備えられ、プロジェクタ１Ａは、インターホン装置ＩＰ１の撮像部で撮像された映像を表示部から投写させる。これにより、インターホン装置ＩＰ１側にいる来訪者の顔をプロジェクタ１側で確認することができる。
【００５３】
また、本実施の形態に係るプロジェクタ１Ａは、表示モードとして、１画面表示モードと、マルチ画面表示モードとを有している。以下では、マルチ画面表示モードの一態様として、２画面表示モードを想定する。
【００５４】
１画面表示モードおよび２画面表示モードの間の切替えは、以下に述べるように、インターホン装置ＩＰ１から送信される所定の信号（呼出信号）をトリガとして、入力部９に対する映像信号の入力の有無に基づいて実行される。なお、呼出信号は、インターホン装置ＩＰ１に設けられた呼出ボタン５０ａが来訪者によって押操作されたときに、伝送路を介してプロジェクタ１Ａの入力端子Ｔ２に出力される信号である。
【００５５】
具体的には、図４（ａ）を参照して、入力端子Ｔ１，Ｔ２には、ＰＣ１，インターホン装置ＩＰ１がそれぞれ接続され、ＰＣ１およびインターホン装置ＩＰ１の映像信号を入力可能になっている場合を想定する。この場合において、入力端子Ｔ１に映像信号が入力され、入力端子Ｔ２にはインターホン装置ＩＰ１からの呼出信号が入力されていないときには、プロジェクタ１Ａは１画面表示モードに設定される。したがって、ＰＣ１からの映像信号に基づく映像がメインウィンドウ１００に表示される。
【００５６】
そして、１画面表示モードの実行時において、入力端子Ｔ２に呼出信号が入力されたことが確認されると、プロジェクタ１は１画面表示モードから２画面表示モードに切替わる。プロジェクタ１Ａは、図４（ｂ）に示すように、ＰＣ１からの映像信号に基づく映像をメインウィンドウ１００に表示させるとともに、入力端子Ｔ２に入力されるインターホン装置ＩＰ１内の撮像部からの映像信号に基づく映像をサブウィンドウ１１０に表示させる。なお、図４（ｂ）の例では、メインウィンドウ１００の表示領域内にサブウィンドウ１１０が配置されるが、各ウィンドウの配置およびサイズの態様はこれに限定されるものではない。
【００５７】
２画面表示モードの実行時には、さらに、プロジェクタ１Ａに設けられた通話部４０と、インターホン装置ＩＰ１に設けられた通話部（図示せず）とを用いて、プロジェクタ１とインターホン装置ＩＰ１との間で通話が可能となる。したがって、プロジェクタ１Ａのユーザは、インターホン装置ＩＰ１側にいる来訪者の顔をプロジェクタ１側で確認することができるとともに、該来訪者と通話を行なうことができる。
【００５８】
以下に、図５および図６を用いて、本発明の実施の形態２に係るプロジェクタ１Ａにおける表示モードの切替制御について説明する。
【００５９】
図５は、図４におけるプロジェクタ１Ａの構成を説明する図である。
図５を参照して、本実施の形態２に係るプロジェクタ１Ａは、図２のプロジェクタ１に対して、映像信号検出部３２に代えて、通話部４０および通信部４２を備える点でのみ異なる。したがって、図５およびその説明では、図２と共通する部分についての図示およびその説明を省略する。
【００６０】
レシーバ部１０は、ＰＣ１と接続するための入力端子Ｔ１に接続されるとともに、通信部４２を介して、インターホン装置ＩＰ１と接続するための入力端子Ｔ２に接続される。具体的には、レシーバ部１０は、入力端子Ｔ１から与えられるアナログ映像信号Ｖｉｎ１をデジタル映像信号Ｄｉｎ１として出力する。また、レシーバ部１０は、通信部４２から与えられる映像信号Ｖｉｎ２をデジタル映像信号Ｄｉｎ２として出力する。
【００６１】
インターホン装置ＩＰ１は、室外に設置され、伝送路を介して室内に設置されたプロジェクタ１との間の通話が可能となっている。
【００６２】
インターホン装置ＩＰ１は、呼出部５０と、通信部５２と、撮像部５４と、通話部５６とを含む。
【００６３】
呼出部５０は、来訪者によって押操作される呼出ボタンを有しており、呼出ボタンが操作されたときに所定の呼出信号を通信部５２と伝送路とを介してプロジェクタ１Ａの通信部４２へ出力する。
【００６４】
通信部５２は、伝送路を介してプロジェクタ１Ａの通信部４２との間で信号を送受信する。通信部５２および通信部４２の間で送受信される信号には、映像信号、音声信号および制御信号が含まれる。
【００６５】
撮像部５４は、図示は省略するが、撮像素子と、撮像素子の出力をデジタル変換して映像データを生成する変換回路と、変換回路の出力した映像データを多重伝送のために変調することにより映像信号を生成する変調回路とを含む。撮像素子としては、ＣＣＤ型やＣＭＯＳ型のものを用いることができる。
【００６６】
通話部５６は、図示は省略するが、入力された音声を電気信号である音声信号に変換して該音声信号を通信部５２および伝送路を介して送信する送話回路と、伝送路および通信部５２を介して受信された音声信号を音声に変換する受話回路と、送話回路と受話回路と通信部５２との間に介在して送話回路から通信部５２に入力される音声信号と通信部５２から受話回路に入力される音声信号とを比較して、信号レベル（すなわち音量）が低いほうを減衰させ信号レベルが高いほうを増幅することにより通話方向を切替える音声スイッチとを含む。具体的には、送話回路は、音声を電気信号である音声信号に変換するマイクロホンを有する。受話回路は、音声信号を音声に変換するスピーカを有する。
【００６７】
プロジェクタ１Ａでは、通信部４２は、伝送路を介してインターホン装置ＩＰ１の通信部５２との間で信号を送受信する。通信部４２は、伝送路から受信された信号から映像信号、音声信号および制御信号を分離するための分波回路を有している。
【００６８】
通話部４０は、インターホン装置ＩＰ１の通話部５６と同様の構成からなり、送話回路と、受話回路と、音声スイッチとを含む。
【００６９】
制御部３０は、通常、撮像部５４および通話部４０，５６を停止させている。インターホン装置ＩＰ１の呼出ボタンが押操作されると、インターホン装置ＩＰ１の呼出部５０は呼出信号をプロジェクタ１Ａに送信する。プロジェクタ１Ａでは、呼出信号が通信部４２に受信されると、制御部３０は、撮像部５４を始動させて撮像部５４による撮像を行なわせる。さらに、制御部３０は、撮像部５４が動作することによって映像信号が通信部４２に入力されると、プロジェクタ１の表示モードを切替えるための切替指令を生成し、その生成した切替指令を映像信号処理回路１２へ出力する。
【００７０】
映像信号処理回路１２が、制御部３０からの切替指令に従って、１画面表示モードから２画面表示モードへ切替えると、図４（ｂ）に示したように、サブウィンドウ１１０には、インターホン装置ＩＰ１からの映像信号Ｖｉｎ２に基づく映像が表示される。プロジェクタ１Ａのユーザは、この映像を確認して通話を開始するか否かを決定する。通話を開始する場合には、操作受付部３４が操作部またはリモコンに設けられた通話ボタンの押操作を受付けたことに応答して、制御部３０は、プロジェクタ１Ａおよびインターホン装置ＩＰ１のそれぞれの通話部４０，５６を動作させて通話を可能とする。一方、通話を開始しない場合には、放置すれば、待機時間が所定時間に達したときに、制御部３０は、撮像部５４および通話部４０，５６を停止させる。
【００７１】
図６は、プロジェクタ１Ａの動作を説明するフローチャートである。
図６を参照して、ステップＳ１１では、入力端子Ｔ１に映像信号Ｖｉｎ１が入力されているか否かを判断する（ステップＳ１１）。入力端子Ｔ１に映像信号Ｖｉｎ１が入力されていないと判断されたとき（ステップＳ１１のＮＯ判定時）には、制御部３０は、表示部から映像を投写させることなく、処理を終了する。
【００７２】
一方、入力端子Ｔ１に映像信号Ｖｉｎ１が入力されていると判断されたとき（ステップＳ１１のＹＥＳ判定時）には、制御部３０は、通信部４２での呼出信号の受信の有無を検出することによって、入力端子Ｔ２に呼出信号が入力されているか否かを判断する（ステップＳ１２）。入力端子Ｔ２に呼出信号が入力されていないと判断されたとき（ステップＳ１２のＮＯ判定時）には、プロジェクタ１Ａは１画面表示モードとなり、制御部３０は、単一の映像信号Ｖｉｎ１に基づく映像を表示部から投写させる。
【００７３】
一方、入力端子Ｔ２に呼出信号が入力されていると判断されたとき（ステップＳ１２のＹＥＳ判定時）には、制御部３０は、撮像部５４および通話部４０，５６を動作させる。ステップＳ１４では、制御部３０は、入力端子Ｔ２に映像信号Ｖｉｎ２が入力されているか否かを判断する。入力端子Ｔ２に映像信号Ｖｉｎ２が入力されていると判断されたとき（ステップＳ１４のＹＥＳ判定時）には、プロジェクタ１Ａは２画面表示モードとなる。制御部３０は、２個の映像信号Ｖｉｎ１，Ｖｉｎ２に基づく映像を表示部から投写させる（ステップＳ１５）。
【００７４】
一方、入力端子Ｔ２に映像信号Ｖｉｎ２が入力されていないと判断されたとき（ステップＳ１４のＮＯ判定時）には、制御部３０は、単一の映像信号Ｖｉｎ１に基づく映像を表示部から投写させる（ステップＳ１１）。
【００７５】
以上のように、この発明の実施の形態２によれば、複数の入力端子を備えたプロジェクタにおいて、表示部から表示される映像は、外部の所定の映像ソースから受信した所定の信号をトリガとして、該所定の映像ソースが接続される入力端子に対する映像信号の入力の有無に応じて切替えられる。上述した実施の形態では、１画面表示モードの実行中においては、インターホン装置からの呼出信号を受信すると、インターホン装置からの映像信号の入力が検出された時点で自動的に２画面表示モードに切替わる。
【００７６】
また、インターホン装置が待機状態となることによってインターホン装置からの映像信号の入力が途絶えた時点で再び１画面表示モードに切替わる。これによれば、１画面表示状態において、必要な場面（すなわち来訪者の確認）では２画面表示とすることができる。したがって、１画面表示と２画面表示との切替えを、別途操作ボタン等を設けることなく行なうことができる。
【００７７】
なお、上述した実施の形態では、所定の映像ソースから入力された所定の信号をトリガとして、１画面表示と２画面表示とを切替える態様について説明したが、３個以上の映像信号を同時に表示するマルチ画面表示においても本実施の形態を同様に適用可能である。この場合には、通信部で受信した入力信号の個数に応じて、１画面上に同時に表示させる映像の個数を切替えるようにしてもよい。
【００７８】
［実施の形態３］
図７は、この発明の実施の形態３に係るプロジェクタにより表示される映像を説明する図である。
【００７９】
図７を参照して、プロジェクタ１Ｂ、入力部９を備える。入力部９は、複数の入力端子を含む。なお、本実施の形態では、一例として、入力部９は、４個の入力端子Ｔ１〜Ｔ４を含むものと想定する。
【００８０】
入力端子Ｔ１は、ＲＧＢ端子であり、ＰＣ１から供給されるアナログＲＧＢ信号に対応している。一方、入力端子Ｔ２〜Ｔ４には、有線または無線の伝送路を介して撮像装置ＣＡ１〜ＣＡ３がそれぞれ接続されている。
【００８１】
撮像装置ＣＡ１〜ＣＡ３は、監視カメラに適用されている。撮像装置ＣＡ１〜ＣＡ３はそれぞれ、装置本体を旋回させることによって撮像エリアを移動させたときに撮像した映像を出力する。撮像装置ＣＡ１から出力される映像信号は、伝送路を介してプロジェクタ１Ｂの入力端子Ｔ２に入力される。撮像装置ＣＡ２から出力される映像信号は、伝送路を介してプロジェクタ１Ｂの入力端子Ｔ３に入力される。撮像装置ＣＡ３から出力される映像信号は、伝送路を介してプロジェクタ１Ｂの入力端子Ｔ４に入力される。プロジェクタ１Ｂは、後述する方法によって撮像装置ＣＡ１〜ＣＡ３で撮像された映像を表示部から投写させる。これにより、所定の撮像対象エリア内の映像をプロジェクタ１Ｂ側で確認することができる。
【００８２】
また、本実施の形態に係るプロジェクタ１Ｂは、表示モードとして、１画面表示モードと、マルチ画面表示モードとを有している。以下では、マルチ画面表示モードの一態様として、２画面表示モードを想定する。
【００８３】
１画面表示モードおよび２画面表示モードの間の切替えは、以下に述べるように、入力部９に対する撮像装置ＣＡ１〜ＣＡ３からの映像信号の入力の有無に基づいて実行される。
【００８４】
具体的には、入力端子Ｔ１にはＰＣ１が接続され、入力端子Ｔ２〜Ｔ３にはそれぞれ撮像装置ＣＡ１〜ＣＡ３が接続されており、ＰＣ１および撮像装置ＣＡ１〜ＣＡ３の映像信号を入力可能になっている場合を想定する。この場合において、入力端子Ｔ１〜Ｔ４の各々に映像信号が入力されているときには、プロジェクタ１Ｂは２画面表示モードに設定される。
【００８５】
図８は、２画面表示モードの実行時にプロジェクタ１Ｂにより表示される映像を説明する図である。プロジェクタ１Ｂは、図８（ａ）に示すように、ＰＣ１からの映像信号に基づく映像をメインウィンドウ１００に表示させるとともに、入力端子Ｔ２に入力される撮像装置ＣＡ１からの映像信号に基づく映像をサブウィンドウ１１０に表示させる。なお、図８（ａ）の例では、メインウィンドウ１００の表示領域内にサブウィンドウ１１０が配置されるが、各ウィンドウの配置およびサイズの態様はこれに限定されるものではない。
【００８６】
そして、サブウィンドウ１１０に撮像装置ＣＡ１からの映像信号に基づく映像を表示させてから所定時間（たとえばＸ分とする）が経過したときには、図８（ｂ）に示すように、サブウィンドウ１１０に表示させる映像を、撮像装置ＣＡ１からの映像信号から撮像装置ＣＡ２からの映像信号に切替える。さらに、このサブウィンドウ１１０の映像を切替えたタイミングから所定時間が経過すると、図８（ｃ）に示すように、サブウィンドウ１１０に表示させる映像を、撮像装置ＣＡ２からの映像信号から撮像装置ＣＡ３からの映像信号に切替える。
【００８７】
このように、本実施の形態３に係るプロジェクタ１Ｂでは、２画面表示モードの実行時には、サブウィンドウ１１０に表示させる映像を所定期間ごとに切替える。以下に、図９および図１０を用いて、本発明の実施の形態３に係るプロジェクタ１Ｂにおける表示モードの切替制御について説明する。
【００８８】
図９は、図７におけるプロジェクタ１Ｂの構成を説明する図である。
図９を参照して、本実施の形態３に係るプロジェクタ１Ｂは、図２のプロジェクタ１に対して、映像信号検出部３２に代えて、映像信号検出部６０、入力切替部６２、Ａ／Ｄコンバータ６４およびタイマ６６を備える点でのみ異なる。したがって、図９およびその説明では、図２と共通する部分についての図示およびその詳細な説明を省略する。
【００８９】
レシーバ部１０は、ＰＣ１と接続するための入力端子に接続されている。レシーバ部１０は、入力端子Ｔ１から与えられるアナログ映像信号Ｖｉｎ１をデジタル映像信号Ｄｉｎ１として出力する。
【００９０】
入力端子Ｔ２〜Ｔ４には撮像装置ＣＡ１〜ＣＡ３がそれぞれ接続されている。撮像装置ＣＡ１〜ＣＡ３から出力されるアナログの映像信号は、入力端子Ｔ２〜Ｔ４を介して映像信号検出部６０に入力される。
【００９１】
映像信号検出部６０は、入力端子Ｔ２〜Ｔ４から入力される映像信号を検出することにより、入力端子Ｔ２〜Ｔ４のそれぞれに映像信号が入力されているか否かを検出する。映像信号検出部６０は、映像信号の入力の有無についての検出結果を制御部３０に出力する。
【００９２】
入力切替部６２は、映像信号検出部６０から出力される３個の映像信号を、制御部３０からの制御に応じて選択的に切替えて、選択した１個の映像信号をＡ／Ｄコンバータ６４に供給する。Ａ／Ｄコンバータ６４は、入力切替部６２から供給されたアナログ信号をデジタル信号に変換し、変換後の信号をデジタル映像信号Ｄｉｎ２として映像信号処理回路１２に出力する。
【００９３】
タイマ６６は、制御部３０を構成するＣＰＵの内部クロックなどの時間カウント機能を用いて構成され、制御部３０の指示に基づき時間カウントを開始し、カウント値を制御部３０に戻す。
【００９４】
制御部３０による切替制御は、映像信号検出部６０の検出結果に基づき、所定のタイミングで入力映像信号を切替えるように入力切替部６２を制御する。具体的には、制御部３０は、映像信号検出部６０からの検出結果に基づき、入力端子Ｔ２〜Ｔ４のうちの少なくとも２つの入力端子に映像信号が入力されていると判断されたときには、当該少なくとも２つの映像信号のうちのいずれか１つの映像信号を選択してＡ／Ｄコンバータ６４に供給する。これにより、プロジェクタ１Ｂは２画面表示モードに設定される。プロジェクタ１Ｂは、入力端子Ｔ１に入力される映像信号に基づく映像をメインウィンドウ１００に表示するとともに、当該該選択された映像信号に基づく映像をサブウィンドウ１１０に表示する。
【００９５】
サブウィンドウ１１０での映像の表示が開始されると、制御部３０は、タイマ６６にカウント開始を指示する。そして、制御部３０は、タイマ６６のカウント値を逐次取得し、サブウィンドウ１１０での表示が開始されてからの経過時間を監視する。
【００９６】
制御部３０は、タイマ６６のカウント値が所定時間（Ｘ分）に達すると、映像信号の切替えを行なうように入力切替部６２を制御する。これにより、入力映像信号が切替わるため、図８に示したように、サブウィンドウ１１０に表示される映像は、切替後の入力映像信号に基づく映像に切替わる。
【００９７】
図１０は、プロジェクタ１Ｂの動作を説明するフローチャートである。
図１０を参照して、ステップＳ２１では、入力端子Ｔ１に映像信号Ｖｉｎ１が入力されているか否かを判断する。入力端子Ｔ１に映像信号Ｖｉｎ１が入力されていないと判断されたとき（ステップＳ２１のＮＯ判定時）には、制御部３０は、表示部から映像を投写させることなく、処理を終了する。
【００９８】
一方、入力端子Ｔ１に映像信号Ｖｉｎ１が入力されていると判断されたとき（ステップＳ２１のＹＥＳ判定時）には、制御部３０はさらに、入力端子Ｔ２〜Ｔ４に映像信号が入力されているか否かを判断する（ステップＳ２２）。入力端子Ｔ２〜Ｔ４のいずれにも映像信号が入力されていないと判断されたとき（ステップＳ２２のＮＯ判定時）には、プロジェクタ１Ｂは１画面表示モードとなり、制御部３０は、単一の映像信号Ｖｉｎ１に基づく映像を表示部から表示させる。
【００９９】
一方、入力端子Ｔ２〜Ｔ４に映像信号が入力されていると判断されたとき（ステップＳ２２のＹＥＳ判定時）には、プロジェクタ１Ｂは２画面表示モードとなる。制御部３０は、タイマ６６のカウント値を逐次取得し、取得したカウント値に基づいて所定時間（Ｘ分）ごとに映像信号の切替えを行なうように入力切替部６２を制御する（ステップＳ２４）。そして、制御部３０は、２個の映像信号Ｖｉｎ１，Ｖｉｎ２に基づく映像を表示部から投写させる（ステップＳ２５）。
【０１００】
以上のように、この発明の実施の形態３によれば、複数の入力端子を備えたプロジェクタにおいて、複数の撮像装置（監視カメラ）からの映像信号の入力が検出されたときには２画面表示モードに切替わるとともに、該複数の撮像装置からの映像信号を所定時間ごとに切替えて表示部に表示させる。これによれば、１画面表示状態において、必要な場面（監視カメラによる監視）では２画面表示とすることができる。したがって、１画面表示と２画面表示との切替えを、別途操作ボタン等を設けることなく行なうことができる。
【０１０１】
また、２画面表示状態においては複数の撮像装置からの映像信号を巡回的に切替えて表示させることができるため、表示切替えのための操作を行なう必要がなくなり、プロジェクタの利便性が向上する。
【０１０２】
なお、上述した実施の形態では、２画面表示において複数の映像ソースから入力された映像信号を切替える態様について説明したが、３個以上の映像信号を同時に表示するマルチ画面表示においても本実施の形態を同様に適用可能である。
【０１０３】
［実施の形態４］
図１１は、この発明の実施の形態４に係るプロジェクタにより表示される映像を説明する図である。
【０１０４】
図１１を参照して、プロジェクタ１Ｃは、入力部９と、通話部４０とを備える。入力部９は、複数の入力端子を含む。なお、本実施の形態では、一例として、入力部９は、３個の入力端子Ｔ１〜Ｔ３を含むものと想定する。
【０１０５】
入力端子Ｔ１は、ＲＧＢ端子であり、ＰＣ１から供給されるアナログＲＧＢ信号に対応している。入力端子Ｔ２には、有線または無線の伝送路を介して撮像装置ＣＡ１が接続されている。入力端子Ｔ３には、有線または無線の伝送路を介してインターホン装置ＩＰ１が接続されている。
【０１０６】
撮像装置ＣＡ１は、たとえば監視カメラであり、装置本体を旋回させることによって撮像エリアを移動させたときに撮像した映像を出力する。撮像装置ＣＡ１から出力される映像信号は、伝送路を介してプロジェクタ１Ｃの入力端子Ｔ２に入力される。
【０１０７】
インターホン装置ＩＰ１は、図４で説明したインターホン装置ＩＰ１と同様の構成からなり、プロジェクタ１Ｃとの間で信号の送受信を行なう。
【０１０８】
本実施の形態に係るプロジェクタ１Ｃは、表示モードとして、１画面表示モードと、マルチ画面表示モードとを有している。以下では、マルチ画面表示モードの一態様として、２画面表示モードを想定する。
【０１０９】
１画面表示モードおよび２画面表示モードの間の切替えは、入力部９に対する映像信号の入力の有無に基づいて実行される。具体的には、図１１（ａ）を参照して、入力端子Ｔ１，Ｔ２，Ｔ３にはＰＣ１、撮像装置ＣＡ１、インターホン装置ＩＰ１がそれぞれ接続され、ＰＣ１、撮像装置ＣＡ１およびインターホン装置ＩＰ１の映像信号を入力可能になっている場合を想定する。この場合において、入力端子Ｔ１およびＴ２のそれぞれに映像信号が入力され、かつ、入力端子Ｔ３にはインターホン装置ＩＰ１からの呼出信号が入力されていないときには、プロジェクタ１Ｃは２画面表示モードに設定される。このとき、プロジェクタ１Ｃは、ＰＣ１からの映像信号に基づく映像をメインウィンドウ１００に表示させるとともに、入力端子Ｔ２に入力される撮像装置ＣＡ１からの映像信号に基づく映像をサブウィンドウ１１０に表示させる。以下では、このような２画面表示状態であって、このうちの１画面に撮像装置ＣＡ１からの映像を表示させるためのモードを「監視カメラモード」とも称する。なお、図１１（ａ）の例では、メインウィンドウ１００の表示領域内にサブウィンドウ１１０が配置されるが、各ウィンドウの配置およびサイズの態様はこの限りではない。
【０１１０】
そして、上述した監視カメラモードの実行時において、入力端子Ｔ３に呼出信号が入力されたことが確認されると、図１１（ｂ）に示すように、プロジェクタ１Ｃはサブウィンドウ１１０に表示させる映像を、撮像装置ＣＡ１からの映像信号に基づく映像からインターホン装置ＩＰ１内の撮像部からの映像信号に基づく映像に切替える。以下では、このような２画面表示状態であって、このうちの１画面にインターホン装置ＩＰ１からの映像を表示させるためのモードを「インターホンモード」とも称する。
【０１１１】
なお、インターホンモードの実行時には、さらにプロジェクタ１Ｃに設けられた通話部と、インターホン装置ＩＰ１に設けられた通話部とを用いて、プロジェクタ１Ｃとインターホン装置ＩＰ１との間で通話が可能となる。
【０１１２】
以下に、図１２および図１３を用いて、本発明の実施の形態４に係るプロジェクタにおける表示モードの切替制御について説明する。
【０１１３】
図１２は、図１１におけるプロジェクタ１Ｃの構成を説明する図である。
図１２を参照して、本実施の形態４に係るプロジェクタ１Ｃは、図２のプロジェクタ１に対して、映像信号検出部３２に代えて、通話部４０と、通信部４２と、映像信号検出部６０と、Ａ／Ｄコンバータ６４と、入力切替部６８とを備える点でのみ異なる。したがって、図１２およびその説明では、図２と共通する部分についての図示およびその説明を省略する。
【０１１４】
レシーバ部１０は、ＰＣ１と接続するための入力端子Ｔ１に接続されるとともに、通信部４２を介して、インターホン装置ＩＰ１と接続するための入力端子Ｔ３に接続される。具体的には、レシーバ部１０は、入力端子Ｔ１から与えられるアナログ映像信号Ｖｉｎ１をデジタル映像信号Ｄｉｎ１として出力する。また、レシーバ部１０は、通話部４０から与えられる映像信号Ｖｉｎ２をデジタル映像信号として入力切替部６８に出力する。
【０１１５】
インターホン装置ＩＰ１は、室外に設置され、伝送路を介して室内に設置されたプロジェクタ１Ｃとの間の通話が可能となっている。インターホン装置ＩＰ１は、呼出部５０と、通信部５２と、撮像部５４と、通話部５６とを含む。インターホン装置ＩＰ１の構成は、図５で説明した構成と同じである。プロジェクタ１Ｃでは、通信部４２は、伝送路を介してインターホン装置ＩＰ１の通信部５２との間で信号を送受信する。通信部４２は、伝送路から受信された信号から映像信号、音声信号および制御信号を分離するための分波回路を有している。通話部４０は、インターホン装置ＩＰ１の通話部５６と同様の構成からなり、送話回路と、受話回路と、音声スイッチとを含む。
【０１１６】
制御部３０は、通常、撮像部５４および通話部４０，５６を停止させている。インターホン装置ＩＰ１の呼出ボタンが押操作されると、インターホン装置ＩＰ１の呼出部５０は呼出信号をプロジェクタ１Ｃに送信する。プロジェクタ１Ｃでは、呼出信号が通信部４２に受信されると、制御部３０は、撮像部５４を始動させて撮像部５４による撮像を行なわせる。
【０１１７】
映像信号検出部６０は、入力端子Ｔ２から入力される映像信号を検出することにより、入力端子Ｔ２に映像信号が入力されているか否かを検出する。映像信号検出部６０は、映像信号の入力の有無についての検出結果を制御部３０に出力する。
【０１１８】
Ａ／Ｄコンバータ６４は、入力端子Ｔ２から供給されたアナログ映像信号をデジタル信号に変換し、変換後の信号をデジタル映像信号として入力切替部６８に出力する。
【０１１９】
入力切替部６８は、レシーバ部１０から出力される映像信号（すなわち、インターホン装置ＩＰ１からの映像信号）と、Ａ／Ｄコンバータ６４から出力される映像信号（すなわち、撮像装置ＣＡ１からの映像信号）とを、制御部３０からの制御に応じて選択的に切替える。そして、制御部３０は、選択した１個の映像信号をデジタル映像信号Ｄｉｎ２として映像信号処理回路１２に供給する。
【０１２０】
映像信号処理回路１２が、制御部３０からの切替指令に従って、１画面表示モードから２画面表示モードへ切替えると、サブウィンドウ１１０には、インターホン装置ＩＰ１および撮像装置ＣＡ１のいずれか一方からの映像信号Ｄｉｎ２に基づく映像が表示される。
【０１２１】
ここで、制御部３０による切替制御は、映像信号検出部６０の検出結果および通信部４２からの信号に基づき、予め定められた優先順位に従って１個の映像信号を選択するように入力切替部６８を制御する。具体的には、制御部３０は、撮像装置ＣＡ１からの映像信号およびインターホン装置ＩＰ１からの映像信号が入力切替部６８に入力されているときには、インターホン装置ＩＰ１からの映像信号を選択して映像信号処理回路１２に供給する。一方、撮像装置ＣＡ１からの映像信号およびインターホン装置ＩＰ１からの映像信号のいずれか一方のみが入力切替部６８に入力されているときには、該入力映像信号を選択して映像信号処理回路１２に供給する。
【０１２２】
これにより、プロジェクタ１Ｃは２画面表示モードに設定され、入力端子Ｔ１に入力される映像信号に基づく映像をメインウィンドウ１００に表示するとともに、当該選択された映像信号に基づく映像をサブウィンドウ１１０に表示する。そして、この２画面表示状態において、現在サブウィンドウ１１０に表示させている映像信号よりもより優先度の高い映像信号が入力されたときには、後から入力された映像信号を表示させるようにサブウィンドウ１１０の表示映像を切替える。
【０１２３】
本実施の形態では、図１１に示したように、撮像装置ＣＡ１からの映像信号に基づく映像をサブウィンドウ１１０に表示させているとき、すなわち、監視カメラモードの実行時に、インターホン装置ＩＰ１からの映像信号が入力された場合には、インターホンモードに切替わり、サブウィンドウ１１０には、インターホン装置ＩＰ１からの映像信号に基づく映像が表示される。
【０１２４】
そして、インターホンモードにおいて、プロジェクタ１Ｃのユーザは、この映像を確認して通話を開始するか否かを決定する。通話を開始する場合には、操作受付部３４が操作部またはリモコンに設けられた通話ボタンの押操作を受付けたことに応答して、制御部３０は、プロジェクタ１Ｃおよびインターホン装置ＩＰ１のそれぞれの通話部４０，５６を動作させて通話を可能とする。一方、通話を開始しない場合には、放置すれば、待機時間が所定時間に達したときに、制御部３０は、撮像部５４および通話部４０，５６を停止させる。これにより、プロジェクタ１Ｃは監視カメラモードに戻り、サブウィンドウ１１０には再び撮像装置ＣＡ１からの映像信号に基づく映像が表示される。
【０１２５】
なお、本実施の形態では、撮像装置ＣＡ１よりもインターホン装置ＩＰ１を高い優先順位に設定したが、この優先順位はユーザによって変更することが可能である。
【０１２６】
図１３は、プロジェクタ１Ｃの動作を説明するフローチャートである。
図１３を参照して、ステップＳ３１では、入力端子Ｔ１に映像信号Ｖｉｎ１に入力されているか否かを判断する。入力端子Ｔ１に映像信号が入力されていないと判断されたとき（ステップＳ３１のＮＯ判定時）には、制御部３０は、表示部から映像を投写させることなく、処理を終了する。
【０１２７】
一方、入力端子Ｔ１に映像信号Ｖｉｎ１が入力されていると判断されたとき（ステップＳ３１のＹＥＳ判定時）には、制御部３０はさらに、入力端子Ｔ２に撮像装置ＣＡ１からの映像信号が入力されているか否かを判断する（ステップＳ３２）。入力端子Ｔ２に映像信号が入力されていないと判断されたとき（ステップＳ３２のＮＯ判定時）には、プロジェクタ１Ｃは１画面表示モードとなり、制御部３０は、単一の映像信号Ｖｉｎ１に基づく映像を表示部から表示させる（ステップＳ３３）。
【０１２８】
一方、入力端子Ｔ２に撮像装置ＣＡ１からの映像信号が入力されていると判断されたとき（ステップＳ３２のＹＥＳ判定時）には、プロジェクタ１Ｃは２画面表示モードとなる。制御部３０は、通信部４２での呼出信号の受信の有無を検出することによって、入力端子Ｔ３に呼出信号が入力されているか否かを判断する（ステップＳ３４）。入力端子Ｔ３に呼出信号が入力されていないと判断されたとき（ステップＳ３４のＮＯ判定時）には、プロジェクタ１Ｃは監視カメラモードとなり、制御部３０は、撮像装置ＣＡ１からの映像信号に基づく映像をサブウィンドウ１１０に表示させる。
【０１２９】
一方、入力端子Ｔ３に呼出信号が入力されていると判断されたとき（ステップＳ３４のＹＥＳ判定時）には、制御部３０は、撮像部５４および通話部４０，５６を動作させる。  
【０１３０】
ステップＳ３６では、制御部３０は、入力端子Ｔ３に撮像部５４からの映像信号が入力されているか否かを判断する。入力端子Ｔ３に映像信号が入力されていると判断されたとき（ステップＳ３６のＹＥＳ判定時）には、プロジェクタ１Ｃはインターホンモードとなる。制御部３０は、インターホン装置ＩＰ１からの映像信号に基づく映像をサブウィンドウ１１０に表示させる（ステップＳ３７）。
【０１３１】
一方、入力端子Ｔ３に映像信号が入力されていないと判断されたとき（ステップＳ３６のＮＯ判定時）には、監視カメラモードが維持される。制御部３０は、撮像装置ＣＡ１からの映像信号に基づく映像をサブウィンドウ１１０に表示させる（ステップＳ３５）。
【０１３２】
以上のように、この発明の実施の形態４によれば、複数の入力端子を備えたプロジェクタにおいて、複数の映像ソースからの映像信号の入力が検出されたときには２画面表示モードに切替わるとともに、該複数の映像ソースからの映像信号のうちから、予め定められた優先順位に従って選択した映像信号を表示部に表示させる。これによれば、たとえば監視カメラによる監視中であっても自動的に表示映像が切替えられて来訪者の確認を行なうことができる。したがって、別途操作ボタン等を設けることなく、表示切替えを操作性良く行なうことができる。
【０１３３】
なお、上述した実施の形態では、２画面表示において複数の映像ソースから入力された映像信号を切替える態様について説明したが、３個以上の映像信号を同時に表示するマルチ画面表示においても本実施の形態を同様に適用可能である。
【０１３４】
なお、上述した実施の形態１〜４では、プロジェクタとして液晶プロジェクタを採用したが、これに限定されるものではない。たとえば、ＤＬＰ（Digital Light Processing）（登録商標）方式のプロジェクタ等の他の方式のプロジェクタに本発明の技術を採用してもよい。
【０１３５】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【０１３６】
１，１Ａ〜１Ｃ  プロジェクタ、９  入力部、１０  レシーバ部、１２  映像信号処理回路、１４  ＯＳＤ回路、１８  液晶パネル駆動部、２０  光学部、２２  投写レンズ、２４  ランプ、２６  ランプ駆動部、２８  電源部、３０  制御部、３２  映像信号検出部、３４  操作受付部、４０，５６  通話部、４２，５２  通信部、５０ａ  呼出ボタン、５０  呼出部、５４  撮像部、５６  通話部、６０  映像信号検出部、６２  入力切替部、６４  Ａ／Ｄコンバータ、６６  タイマ、６８  入力切替部、１００  メインウィンドウ、１１０  サブウィンドウ、ＣＡ１〜ＣＡ３  撮像装置、ＩＰ１  インターホン装置。
【図１】
2011109504.tif 000003
【図２】
2011109504.tif 000004
【図３】
2011109504.tif 000005
【図４】
2011109504.tif 000006
【図５】
2011109504.tif 000007
【図６】
2011109504.tif 000008
【図７】
2011109504.tif 000009
【図８】
2011109504.tif 000010
【図９】
2011109504.tif 000011
【図１０】
2011109504.tif 000012
【図１１】
2011109504.tif 000013
【図１２】
2011109504.tif 000014
【図１３】
2011109504.tif 000015